(57)【特許請求の範囲】
【請求項１】
差込パイプ固定用ボルトを有した差込パイプ受けをベースに固定されて成る取付部と、差込パイプと支持パイプ間に角度調節用ボルト・ナットによる角度調節手段を取付けて成る支持部とで構成され、且つ、組立方式のアンテナ支柱用固定装置において、
差込パイプ受け１０の円周に切溝１０ａを適宜の長さ形成し、この切溝１０ａに切溝用螺子１２を具備し、差込パイプ１３両側には長さ調節孔１３ａを対向し且つ複数設け、角度調節手段に割ピン１８を具備して本体Ｐとする構成であることを特徴とするアンテナ支柱用固定装置。
【請求項２】
角度調節手段に割ピン孔を複数設けたものであることを特徴とする請求項１記載のアンテナ支柱用固定装置。
【請求項３】
差込パイプ固定用ボルトを有した差込パイプ受けをベースに固定されて成る取付部と、差込パイプと支持パイプ間に角度調節用ボルト・ナットによる角度調節手段を取付けて成る支持部とで構成され、且つ、組立方式のアンテナ支柱用固定装置１において、
ガイド２８を少なくとも半周に設けたベース２４と、このベース２４に固定される差込パイプ固定用ボルト２６を有した差込パイプ受け２５と、ガイド２８に沿って回動可能に取付けられる差込パイプ固定用ボルト２７を有した差込パイプ受け２９の側面に長溝２９ａを形成すると共に差込パイプの長さ調節用螺子３１を備えて成る取付部と、前記差込パイプ受け２５，２９に取付ける差込パイプ３２，３３と支持パイプ４３間に各々の角度調節用ボルト・ナット３８，４１による角度調節手段を各々に取付けて成る支持部とで構成して本体２Ｐとすることを特徴とするアンテナ支柱用固定装置。
【請求項４】
屋根側面に取り付けられる屋根側面用固定具と壁に取り付けられる壁用固定具とで二カ所に設置される構成の且つ組立方式であり、前記双方の固定具が長さ調節可能であると共に角度調節可能であるアンテナ支柱用固定装置において、
屋根側面用固定具として前記請求項１又は請求項２又は請求項３記載のアンテナ支柱用固定装置を用いたことを特徴とするアンテナ支柱用固定装置。
【発明の詳細な説明】
【０００１】
【発明の属する技術分野】
本発明は、テレビ放送等受信アンテナを一般住宅等建物に設置する際に、ハーフ等屋根側面に支持・固定して用いるものである、アンテナ支柱用固定装置に関するものである。
【０００２】
【従来の技術】
従来より、テレビ放送等受信アンテナを一般住宅等建物に設置する場合には、一般的に建物は屋根１には軒先２が形成されており、屋根側面３が壁４より突出している状態になっているため、例えば、一従来図１０ａに示すように、薄型鉄板等で任意に形成され取付孔５ａを有した取付板５に、アンテナ支柱を支持固定するものであるアンテナ支柱受け６を有して本体とする固定具Ａがあった。  この固定具Ａを、図１０ｂに示すように、壁面４に取付けると共に、アンテナ支柱７を、設置現場で適宜に曲げて前記アンテナ支柱受け６に差し込んで取付け、アンテナ支柱７上部を軒先２にサドル等をあてがい釘やネジ等（図示せず）で屋根側面３に固定されていた。
そして、このアンテナ支柱にアンテナ８を設置されていた。
【０００３】
【発明が解決しようとする課題】
しかしながら、上述の固定具Ａの場合、アンテナ支柱７を適宜に曲げて取付ける為、そのアンテナ支柱７を適宜に曲げるという作業には、大変手間と時間がかかっていた。
また、固定具Ａが薄型鉄板で形成されていた為、支持力が弱く風によりアンテナ支柱８を固定した位置がずれたり又は傾いたりする場合がある等、長期間をアンテナの設置時の状態を保持できない等の問題点があった。
【０００４】
本発明は上述の問題点を解消するためになされたものであり、第一の目的は、ハーフ等屋根側面等の傾斜状態に関わらず強固に支持・固定することができ、且つ、作業能力を向上させることができることを目的としたアンテナ支柱用固定装置を提供することを課題とする。
【０００５】
又、第二の目的は、本願出願人は先の出願（特願２００２−０３６０３５号）で、屋根側面と壁の二箇所に取付けて用いられ組み立て方式とした、屋根側面用固定具と壁用固定具の双方の固定具を長さ調節可能及び角度調節可能の構成であることを特徴とするアンテナ支柱固定装置を提案しているが、この屋根用固定具における他の実施例として用いることができる、アンテナ支柱用固定装置を提供することを課題とする。
【０００６】
【課題を解決するための手段】
上記課題を解決するために本発明は、請求項１では、差込パイプ固定用ボルトを有した差込パイプ受けをベースに固定されて成る取付部と、差込パイプと支持パイプ間に角度調節用ボルト・ナットによる角度調節手段を取付けて成る支持部とで構成され、且つ、組立方式のアンテナ支柱用固定装置において、
差込パイプ受け１０の円周に切溝１０ａを適宜の長さ形成し、この切溝１０ａに切溝用螺子１２を具備し、差込パイプ１３両側には長さ調節孔１３ａを対向し且つ複数設け、角度調節手段に割ピン１８を具備して本体Ｐとする構成にする。
【０００７】
請求項２では、前記請求項１の角度調節手段に割ピン孔を複数設けた構成とする。
【０００８】
請求項３では、差込パイプ固定用ボルトを有した差込パイプ受けをベースに取付けて成る取付部と、差込パイプと支持パイプ間に角度調節用ボルト・ナットによる角度調節手段を取付けて成る支持部とで構成され、且つ、組立方式のアンテナ支柱用固定装置において、
ガイド２８を少なくとも半周に取付けたベース２４と、このベース２４に固定される差込パイプ固定用ボルト２６を有した差込パイプ受け２５と、ガイド２８に沿って回動可能に取付けられる差込パイプ固定用ボルト２７を有した差込パイプ受け２９の側面に長溝２９ａを形成すると共に差込パイプの長さ調節用螺子３１を備えて成る取付け部と、前記差込パイプ受け２５，２９に取付ける差込パイプ３２，３３と支持パイプ間に各々の角度調節用ボルト・ナット３８，４１による角度調節手段を各々に付けて成る支持部とで構成して本体２Ｐとする。
【０００９】
請求項４では、屋根側面に取付けられる屋根側面用固定具と壁に取付けられる壁用固定具とで二カ所に設置される組立方式の構成であり、且つ、前記双方の固定具が長さ調節可能であると共に角度調節可能であるアンテナ支柱用固定装置において、
屋根用固定具として前記請求項１又は請求項２記載のアンテナ支柱用固定装置を用いた構成のアンテナ支柱用固定装置とする。
【００１０】
尚、以上及び以下の記述において、「屋根側面」とは一般的に、軒先又はケラバ若しくはハーフ等と称されている屋根の一部をいう。
【００１１】
【発明の実施の形態】
本発明の一実施例を以下、図面に基づいて説明する。
図１ａは本発明の組立方式のアンテナ支柱用固定装置を示す斜視図であり、アンテナ支柱を支持する支持パイプを直立状態にした状態図であり、図１ｂは支持パイプを１８０度回転させた状態図である。
【００１２】
以下、本固定装置の構造を図１ａ，ｂ及び図２の分解側面図で説明すると、屋根側面に取り付けられるベース９には取付孔９ａを複数設けると共に、差込パイプ受け１０を一体化させる。この差込パイプ受け１０には、ボルト孔（図示せず）を設けて差込パイプ固定用ボルト１１を取付ける。
【００１３】
尚、前記ボルト孔において、螺子切りをするも良く、ナットを溶着する等して、前記差込パイプ用固定ボルトを取付けるようにすることも良い。
【００１４】
又、この差込パイプ受け１０円周に断面少なくとも９０度、好ましくは１８０度範囲に切溝１０ａを形成すると共に、この切溝１０ａには、切溝用螺子１２を備えて取付部を構成する。
【００１５】
次ぎに、図２で示すように、上述の差込パイプ受け１０に、差込パイプ１３を差し込み及び支持パイプ１９を角度調節をすることが可能であるアンテナ支柱受部を説明する。
【００１６】
差込パイプ１３両側には、長さ調節孔１３ａを対向して、且つ複数設ける。このようにすれば、前記差込パイプ受け１０内で差込パイプの長さ調節をした後に、前記差込パイプ固定用ボルト１１を締めて固定することに加えて、切溝用螺子１２を切溝１０ａから長さ調節孔１３ａに螺子込んで固定することにより、差込パイプ１３の長さ加減を二カ所で固定するので、より強固に固定して差込パイプの擦れ等を防止し、抜け落ちすることがない。従って、落下防止をすることができる。
【００１７】
又、この差込パイプ１３には、平板１４が角度調節用ボルト孔１５と割ピン孔１６を有して溶着等して一体化させ、角度調節用ボルト・ナット１７と割ピン１８を具備する。
【００１８】
又、支持パイプ１９には、アンテナ支柱固定用ボルト２０を取付ける為のボルト孔（図示せず）を設けると共に、アンテナ支柱の取付時におけるアンテナ支柱下端が載置される為の、ボルト・ナット若しくは割ピン等の止具２１を取付ける孔（図示せず）を設け、アンテナ支柱固定用ボルト２０と止具２１を取付ける。又、この支持パイプ１９には、この支持パイプ１９を適宜角度調節を可能とする為に、上述の平板１４を介して、この平板１４に適合する角度調節ボルト孔１５と割ピン孔１６を有した平板２２，２３を溶着する等して一体化して支持部を構成したものである。
【００１９】
即ち、ここでいう角度手段とは、平板１４，２２，２３と角度調節用ボルト・ナット１７により構成され、角度調節用ボルト・ナット１７を適宜に弛め、このボルト・ナットを支点として支持パイプ１９が回動可能（いわゆる首を振ることをいう）となるようにしたものである。
【００２０】
従って、ハーフ等屋根側面の傾斜状態如何に係わらずベース９を取付け、差込パイプ１３の長さ調節を行ない、差込パイプ固定用ボルト１１で固定し、この場合には、更に切溝用螺子１２を切溝１０ａから長さ調節孔１３ａに螺子止めを行ない、支持パイプ１９の取付け角度調節を行なう場合には、角度調節用ボルト・ナット１７を弛め又は締め等の操作を行ない、この場合、割ピン１８で更に固定する。
【００２１】
又、このように割ピン１８を設けたことにより、アンテナ支柱を支持パイプ１９に取付けた場合の平板１４及び平板２２，２３における擦れを防止すると共により強固に固定することができる。及び、支持パイプ１９に支持・固定された場合アンテナ支柱の取付角度が傾くこと等を防止し、より強固に支持・固定し、及び落下防止ができるものである。
【００２２】
又、上述の平板１４には、図３のように、割ピン１８を複数設ける構成とすることも可能である。
このようにすれば、平板１４と及び平板２２，２３の角度を有した状態にて固定する場合にあっても、平板２２，２３の割ピン孔１６，１６に適合する平板１４の複数の割ピン孔のいずれかの割ピン孔１５に、割ピン１８を取付けると平板がその状態で、角度調節用ボルト・ナット１７で固定することのみならず割ピン１８でも固定するので、角度の擦れ防止となる効果を奏する。
【００２３】
この場合、ハーフ等屋根側面は一般的には、傾斜面になっている為、ベース９の取付けも傾斜状態となる。従って、支持パイプ１９を直立状態に固定するためには、角度調節用ボルト・ナット１７を弛め、平板の角度調節を行なった際、その角度状態を保持するために、角度調節用ボルト・ナットで固定することのみならず、図３に示すように、平板１４の割ピン孔１６複数のいずれか適当な割ピン孔を用いて割ピン１８で固定できるということは、平板１４及び平板２２，２３の擦れと角度調節用ボルト・ナットの弛みをも防止することを可能とするものであり、その効果は安全対策的に顕著なものである。
【００２４】
また、上述の切溝１０ａにおいて、差込パイプ受け１０に支持パイプ１９を１８０度回転させた状態で差込パイプを差し替えて取付けた場合において、切溝１０ａを１／４周いわゆる９０度範囲に形成した場合は１８０度回転させることができることとなり、切溝１０ａを半周いわゆる１８０度範囲に形成した場合は、３６０度回転させることができることとなる。
特に、切溝１０ａから切溝用螺子１２をねじこんで差込パイプ１３を固定することは、差込パイプ受け１０から差込パイプ１３の抜け落ち防止及び落下防止となることは、その効果は安全対策的に顕著なものである。
【００２５】
更に、角度調節用ボルト・ナットには、ワッシャーを取付けるとよい。この場合、ディスクワッシャーを用いることが好ましい。
【００２６】
次ぎに、図４は本固定装置の他の本体の一実施例を斜視図であり、支持パイプを垂直に支持した場合の説明図である。図５（ａ）は支持パイプを左方向に回動可能であることを示す斜視図であり、図５（ｂ）は支持パイプを右方向に回動可能であることを示す斜視図である。図６（ａ），（ｂ）は本体の側面図であり且つ長さ調節可能であることを示す側面図である。
【００２７】
ベース２４には取付け孔２４ａを設けると共に、差込パイプ受け２５を固定させる。この差込パイプ受け２５には差込パイプ固定用ボルト２６を取付ける及びこの差込パイプ固定用ボルト２６を取り付けた背面側の適宜カ所にも任意サイズの差込パイプ固定用ボルト２７を取付ける。
更にこのベース２４にガイド２８を半周に取付ける。ガイド用軸２９ｂ取付けた差込パイプ受け２９をガイド２８に取付け、ガイド２８に沿って回動可能にする。この差込パイプ受け２９は、差込パイプ固定用ボルト３０を取付けると共に側面に長溝２９ａを形成し、長溝用螺子３１を具備して、取付部を構成する。
【００２８】
同一サイズの差込パイプ３２，３３に同一サイズの平板３４，３５を夫々固定する。この平板３４を介在して平板３６，３７を角度調節用ボルト・ナット３８を取り付ける。
及び平板３５を介在して平板３９，４０を角度調節用ボルト・ナット４１を取付ける。
又、アンテナ支柱用固定ボルト４２を有した支持パイプ４３に前記平板３６，３７及び前記平板３９，４０を固定して支持部を構成する。
【００２９】
この支持パイプ４３下部には、ボルト・ナット又は割ピン孔（図示せず）を設けて、ボルト・ナット又は割ピン等の止め具４４を取付ける。
尚、差込パイプ３３には、前記長溝で螺子止めされる螺子孔（図示せず）を設ける。こうすれば、差込パイプ３３の抜け落ちが防止できる。従って、落下防止をすることができる。
【００３０】
即ち、図５のように、差込パイプ受け２５等を支点として、他の差込パイプ受け２９がガイド２８に沿って回動可能とする構成にする。
及び差込パイプ３３の長さ調節は図６に示すように、長溝２９ａの範囲内でできる構成とする。
更に、図７に示すように、支持パイプ４３の前後の角度調節を行なうな場合には、角度調節手段の操作によりできる。且つ、差込パイプ受け及び差込パイプ及び角度調節手段等により、支持・固定力を倍増させることを可能である構成にしたものである。
【００３１】
更に、他の実施例を図８又は図９を参照して説明する。これは、屋根側面と壁との二カ所で固定する構成を本体としたものであり、上述の実施例の夫々の本体を、屋根側面用固定具として用いて構成されたアンテナ支柱用固定装置である。
【００３２】
尚、ここで、壁用固定具も説明しておく。屋根の軒先の長さ及び上述の屋根側面用固定具の取付け状態に適合させて、差込パイプの差し込む角度や長さを調節したり又は角度調節手段で角度を調節したりして、支持パイプの位置を垂直状態にすることができるように、各要部は上述の実施例で述べたサイズより適宜おおきなサイズをもちいられる。
この壁用固定具の、取付部は、取付孔４５ａを有するベース４５に、差込パイプ固定用ボルト４６を具備した差込パイプ４７を固定する。
又、支持部は、差込パイプ４８に平板４９を固定し、この平板４９を介して平板５０，５１を角度調節用ボルト・ナット５２による角度調節手段を構成し、この平板５０，５１を支持パイプ５３に固定する構成とする。
【００３３】
更には、上述の図１又は図４の本体を屋根用固定具として用い、この各要部のサイズより適宜大きなサイズのものを壁用固定具としてアンテナ支柱用固定装置の構成とすることも可能である。
尚、上述の各実施例の各本体を用いる場合においては、取付け現場では、止具２１又は止具４４を取り外して用いることは、何らかまわない。
【００３４】
【発明の効果】
本発明のアンテナ支柱用固定装置は以上説明してきた如き内容のものであり、本体が組み立て方式だから、屋根側面の傾斜状態に関わらず取付けることができると共に、アンテナ支柱受けの角度調節をして容易に取付けることができることに加えて、組立方式でありながら、取付け部と支持部が差込パイプ固定用ボルトのみならず、切溝及び切溝用螺子により、又は長溝及び長溝用螺子により、より強固に固定されると共に、取付け角度の擦れを生ずることを防止し、抜け落ちすることがなく、即ち落下防止となる効果を奏する。
【００３５】
また、請求項１では、差込パイプ受けに切溝を形成し切溝用螺子により、差込パイプが適宜必要範囲回動可能であり、割ピンを取付けたので支持パイプの取付けが、ずれたりすることを防止することができる。
加えて、切溝用螺子により差込パイプ固定されるので落下防止になり、安全対策的に優れた効果を奏するものである。
又、アンテナ取付けという高所作業では、小さな螺子等は落としも多くありがちであるが、この点、割ピンを用いたことは、確実性がある。
【００３６】
請求項２では、上記割ピンを差し込む割ピン孔を、角度調節手段の平板に複数設けたものであるから、アンテナ支柱の取付け作業における角度調節をした場合に、その角度状態にて角度調節用ボルト・ナットのみならず、その角度に適合した割ピン孔に割ピンを差し込んで固定することができる。
従って、取付時の屋根側面の傾斜状態に係わらず、取付角度を強固に保持し支持・固定できる効果を奏するものである。
また、角度調節用ボルト・ナットの弛み等を防止し、支持パイプの抜け落ちをも防止できるから、安全対策的に優れたものである。
【００３７】
請求項３では、差込パイプ受け又は差込パイプ又は角度調節手段を夫々に、いわゆる二組に構成したことにより、支持・固定力がより強固になる効果を奏すると共に、落下防止の安全対策的に優れた効果を奏するものである。
また、この場合の操作もガイドを取付けたことにより、容易に一方の差込パイプ受けがガイドに沿って回動するので、取扱が間便である。
【００３８】
従って、支持・固定力を増強させると共に、取付け作業の労力軽減と、取付け時間の短縮を可能とし、作業能率を向上させる優れた効果を奏するものである。
【図面の簡単な説明】
【図１】本固定装置の斜視図であり、（ａ）図は支持パイプを直立状態に固定したものである。（ｂ）図は支持パイプが１８０度回転させることが可能であることを示すものである。
【図２】本固定装置の分解側面図である。
【図３】図２の平板に割ピン孔を複数設けたことを示す分解側面図である。
【図４】本固定装置の他の実施例を示す斜視図である。
【図５】（ａ），（ｂ）図は、図４のガイドに沿って差込パイプ受けが回動可能であることを示す作動図である。
【図６】（ａ），（ｂ）図は、図４の側面図であり、差込パイプが長さ調節可能であることを示したものである。
【図７】（ａ），（ｂ）図は、図４の側面図であり、支持パイプが角度調節可能であることを示したものである。
【図８】図１の本固定装置を、屋根側面と壁面との二カ所で固定する構成の固定装置に係る屋根側面に取付けて用いた場合における、取付状態図である。
【図９】図４の本固定装置を、屋根側面と壁面との二カ所で固定する構成の固定装置に係る屋根側面に取付けて用いた場合における、取付状態図である。
【図１０】（ａ）図は、従来の一固定具を示す斜視図である。
（ｂ）図は、従来の一固定具の使用状態を示す側面図である。
【符号の説明】
本体‥‥‥‥‥‥‥‥‥‥‥Ｐ，２Ｐ
ベース‥‥‥‥‥‥‥‥‥‥９，２４
取付孔  ‥‥‥‥‥‥‥‥‥９ａ，２４ａ
差込パイプ受け‥‥‥‥‥‥１０，２５，２９
切溝  ‥‥‥‥‥‥‥‥‥‥１０ａ
差込パイプ固定用ボルト‥‥１１，２６，２７，３０
切溝用螺子‥‥‥‥‥‥‥‥１２
差込パイプ‥‥‥‥‥‥‥‥１３，３２，３３
長さ調節孔‥‥‥‥‥‥‥‥１３ａ
平板‥‥‥‥‥‥‥‥‥‥‥１４，２２，２３，３４，３５，３６，３７，３９，４０
角度調節ボルト孔‥‥‥‥‥１５
割ピン孔  ‥‥‥‥‥‥‥‥１６
角度調節用ボルト・ナット‥１７，３８，４１
割ピン‥‥‥‥‥‥‥‥‥‥１８
支持パイプ‥‥‥‥‥‥‥‥１９，４３
アンテナ支柱固定用ボルト‥２０，４２
止具‥‥‥‥‥‥‥‥‥‥‥２１，４４
ガイド‥‥‥‥‥‥‥‥‥‥２８
長溝‥‥‥‥‥‥‥‥‥‥‥２９ａ
ガイド用軸‥‥‥‥‥‥‥‥２９ｂ
長溝‥‥‥‥‥‥‥‥‥‥‥３０
長溝用螺子‥‥‥‥‥‥‥‥３１
【図１】
0003564608.tif 000002
【図２】
0003564608.tif 000003
【図３】
0003564608.tif 000004
【図４】
0003564608.tif 000005
【図５】
0003564608.tif 000006
【図６】
0003564608.tif 000007
【図７】
0003564608.tif 000008
【図８】
0003564608.tif 000009
【図９】
0003564608.tif 000010
【図１０】
0003564608.tif 000011